(57)【要約】      （修正有）【課題】ブラジャーを着用したままバストアップおよびバストを中央に寄せるための操作ができるとともに、左右のそれぞれのバストについて、それぞれ独立にバストアップを図ることができ、バストを中央に寄せることができるブラジャーを提供する。【解決手段】左右のカップ部２Ｌ、２Ｒ裏面の脇側縁部および脇側方下辺に取り付けられ、カップ部２Ｌ、２Ｒ裏面の脇側縁部および脇側方下辺からバストを覆う左右一対の当て布８Ｌ、８Ｒを有し、左右のカップ部２Ｌ、２Ｒには、左右のカップ部の中央付近に当て布８Ｌ、８Ｒを通すための当て布通し孔が設けられ、左右の当て布２Ｌ、２Ｒの先端をそれぞれ当て布通し孔に通し、左右の当て布８Ｌ、８Ｒの先端を外部から引っ張ることができるものである。【選択図】図３
2012251251.tif 000002
【特許請求の範囲】
【請求項１】
着用時に乳房を覆う左右一対のカップ部と、
中央で結合した前記カップ部の脇側縁部より後方にそれぞれ延びて、着用時に互いに先端部が背中で係合される左右一対のバック部と、
前記カップ部の上部と前記バック部の上部を左右それぞれで掛け渡される左右一対の肩ストラップと、
中央で結合した左右の前記カップ部裏面の脇側縁部および脇側方下辺に取り付けられ、前記カップ部裏面の脇側縁部および脇側方下辺からバストを覆う左右一対の当て布と、を有し、
それぞれの左右の前記カップ部には、左右の前記カップ部が結合している中央付近に前記当て布を通すための当て布通し孔が設けられ、
左右の前記当て布の先端をそれぞれ前記当て布通し孔に通し、左右の前記当て布の先端を外部から引っ張り前記当て布通し孔から外部に出た前記当て布の長さを調節可能にした特徴とするブラジャー。
【請求項２】
着用時に乳房を覆う左右一対のカップ部と、
左右の前記カップ部の間で、左右の前記カップ部を連結するカップ中央連結部と、
該中央連結部により結合された前記カップ部の脇側縁部より後方にそれぞれ延びて、着用時に互いに先端部が背中で係合される左右一対のバック部と、
前記カップ部の上部と前記バック部の上部を左右それぞれで掛け渡される左右一対の肩ストラップと、
該中央連結部により結合された左右の前記カップ部裏面の脇側縁部および脇側方下辺に取り付けられ、前記カップ部裏面の脇側縁部および脇側方下辺からバストを覆う左右一対の当て布と、を有し、
前記カップ中央連結部に前記当て布を通すための当て布通し孔が設けられ、
左右の前記当て布の先端をそれぞれ前記当て布通し孔に通し、左右の前記当て布の先端を外部から引っ張り前記当て布通し孔から外部に出た前記当て布の長さを調節可能にした特徴とするブラジャー。
【請求項３】
左右一対の前記当て布は、中央で結合した左右の前記カップ部裏面の脇側縁部上部の肩スリップおよび該肩スリップから該肩スリップ部と距離を開けた前記カップ部の脇側方上部に取り付けられ、前記カップ部裏面の脇側縁部から脇側縁部上部の肩スリップおよび脇側方下辺からバストを覆うことを特徴とする請求項１または２記載のブラジャー。
【請求項４】
左右のそれぞれの前記カップ部の脇側縁部と前記バック部の間に、前記カップ部の脇側縁部から左右の体側部まで延びる左右一対のカップ脇部を設けた請求項１〜３のいずれか１項に記載のブラジャー。
【請求項５】
中央で結合した左右の前記カップ部裏面の中央下辺縁部にそれぞれ取り付けられ、前記カップ部裏面の中央下辺縁部からバストを覆う左右一対の中央当て布を、さらに有し、
それぞれの左右の前記カップ部には、中央で結合している左右の前記カップ部の脇側縁部付近に前記中央当て布を通すための中央当て布通し孔が設けられている請求項１〜４のいずれか１項に記載のブラジャー。
【請求項６】
前記当て布は、伸縮可能布からなることを特徴とする請求項１〜５のいずれか１項に記載のブラジャー。
【請求項７】
前記当て布は、先端に紐または伸縮テープが取り付けられ、前記紐または前記伸縮テープが前記当て布通し孔を通り外部に出されることを特徴とする請求項１〜６のいずれか１項に記載のブラジャー。
【請求項８】
前記当て布通し孔から出される前記当て布の長さ調節位置で係止し、前記当て布通し孔から出される前記当て布の長さを調節する当て布長さ調節部材を、設け、
前記当て布長さ調節部材は、前記当て布通し孔を通ることができない大きさであることを特徴とする請求項１〜７のいずれか１項に記載のブラジャー。
【請求項９】
着用時に乳房を覆う左右一対のカップ部と、
中央で結合した前記カップ部の脇側縁部より後方にそれぞれ延びて、着用時に互いに先端部が背中で係合される左右一対のバック部と、
前記カップ部の上部と前記バック部の上部を左右それぞれで掛け渡される左右一対の肩ストラップと、
中央で結合した左右の前記カップ部裏面の前記カップ部より上部の箇所および脇側方下辺に取り付けられ、前記カップ部裏面の前記カップ部より上部の箇所および該上部の箇所と連通する脇側下辺からバストを覆う左右一対の当て布と、を有し、
それぞれの左右の前記カップ部には、左右の前記カップ部が結合している中央付近に前記当て布を通すための当て布通し孔が設けられ、
左右の前記当て布の先端をそれぞれ前記当て布通し孔に通し、左右の前記当て布の先端を外部から引っ張り前記当て布通し孔から外部に出た前記当て布の長さを調節可能にした特徴とするブラジャー。
【請求項１０】
着用時に乳房を覆う左右一対のカップ部と、
左右の前記カップ部の間で、左右の前記カップ部を連結するカップ中央連結部と、
該中央連結部により結合された前記カップ部の脇側縁部より後方にそれぞれ延びて、着用時に互いに先端部が背中で係合される左右一対のバック部と、
前記カップ部の上部と前記バック部の上部を左右それぞれで掛け渡される左右一対の肩ストラップと、
該中央連結部により結合された左右の前記カップ部裏面のカップ部より上部の箇所および脇側方下辺に取り付けられ、前記カップ部裏面のカップ部より上部の箇所および該上部の箇所と連通する脇側下辺からバストを覆う左右一対の当て布と、を有し、
前記カップ中央連結部に前記当て布を通すための当て布通し孔が設けられ、
左右の前記当て布の先端をそれぞれ前記当て布通し孔に通し、左右の前記当て布の先端を外部から引っ張り前記当て布通し孔から外部に出た前記当て布の長さを調節可能にした特徴とするブラジャー。
【発明の詳細な説明】
【技術分野】
【０００１】
本発明は、ブラジャーに関する。詳しくは、バストアップを図ることができるとともに、バストを中央に寄せることができるブラジャーに関する。
【背景技術】
【０００２】
従来から、バストアップを図ることができるとともに、バストを中央に寄せることができるブラジャーが知られている。
【０００３】
この種のブラジャーとして、図１０に示すように、左右の乳房カップ１０２の脇側周縁に沿って乳房保持部材１０８が装着され、その乳房保持部材１０８は、乳房カップ１０２の表面側に配設され、その取付片１１０を除いた部分の外側縁が乳房カップ１０２と共に土台布１０１に縫着されるものである。また、左右の乳房保持部材１０８の下端部に、相対向するよう突出された取付片１１０の先端間が、長さ調節具１１１を有する伸縮テープ１１２で接続されている。このように、長さ調整具１１１を伸縮テープ１１２に対して摺動させ、伸縮テープ１１２の折り返した部分の長さを変えることにより、乳房保持部材１０８の取付片１１０間の距離を調節することができ、取付片１１０間の距離を短くすると乳房引き上げ力が強くなって補整効果が高まり、取付片１１０間の距離を長くすると乳房引き上げ力が弱くなって身動きしやすくなるというものであった(例えば、特許文献１)。
【先行技術文献】
【特許文献】
【０００４】
【特許文献１】特開２００５−２０６９４９号公報
【発明の概要】
【発明が解決しようとする課題】
【０００５】
しかしながら、従来のブラジャーは、乳房保持部材１０８の取付片１１０間の距離を調節することにより乳房引き上げ力を調整することができるものであるが、このような長さ調整具１１１を用いて伸縮テープ１１２の長さを調整すると、長さ調整具１１１がブラジャーの内側にあるので、ブラジャーを着用してから伸縮テープ１１２の長さを調整することが困難であるとともに、一方の伸縮テープ１１２の折り返した部分の長さを変えることにより他方の伸縮テープ１１２にも影響が及び、左右それぞれ独立に乳房浮き上げ力などを調節することができなかった。すべての人の身体は、左右の骨格や肉質の違いがあり、本来左右それぞれについて乳房浮き上げ力などを調節することが必要であるが、従来のブラジャーでは、そこまで対応できていなかった。
【０００６】
本発明は、上記問題点に鑑みてなされたもので、ブラジャーを着用したままバストアップおよびバストを中央に寄せるための操作ができるとともに、左右のそれぞれのバストについて、それぞれ独立にバストアップを図ることができ、バストを中央に寄せることができるブラジャーを提供することを目的とする。
【課題を解決するための手段】
【０００７】
上記課題を解決し上記目的を達成するために、本発明のうち第１の態様に係るものは、  着用時に乳房を覆う左右一対のカップ部と、中央で結合したカップ部の脇側縁部より後方にそれぞれ延びて、着用時に互いに先端部が背中で係合される左右一対のバック部と、カップ部の上部とバック部の上部を左右それぞれで掛け渡される左右一対の肩ストラップと、中央で結合した左右のカップ部裏面の脇側縁部および脇側方下辺に取り付けられ、カップ部裏面の脇側縁部および脇側方下辺からバストを覆う左右一対の当て布と、を有し、それぞれの左右のカップ部には、左右のカップ部が結合している中央付近に当て布を通すための当て布通し孔が設けられ、左右の当て布の先端をそれぞれ当て布通し孔に通し、左右の当て布の先端を外部から引っ張り当て布通し孔から外部に出た当て布の長さを調節可能にした特徴とするものである。
【０００８】
本発明によれば、左右のカップ部に当て布を通すための当て布通し孔が設け、その当て布通し孔からブラジャーの外部に出された当て布の先端をブラジャーの外部から引っ張ることができるので、ブラジャーを着用した状態でバストアップ（乳房を持ち上げること）およびバストを中央に寄せるための操作を行うことができる。また、左右の当て布の先端をそれぞれ当て布通し孔に通し、ブラジャーの外部から引っ張ることにより、当て布通し孔を支点として、バストアップおよび乳房を脇から中心方法に寄せることができるとともに、左右の乳房を脇から寄せることおよび左右の乳房を持ち上げることをそれぞれ左右独立に調節することができる。これにより、乳房の大きさに左右差がある女性でも、左右の当て布の先端の引き具合を調節することにより、左右対称のシルエットに近づけることができる。また、ブラジャーの着用時には、通常バック部を後ろ側に引くためにカップ部の造形が崩れてしまうが、本発明によれば、当て布を左右のカップ部が結合している中央方向に引っ張るので、バック部が後ろ側に引く力と反対側の力が相殺され、カップ部の造形を損なうことがなくなりカップ部のシルエットを保つことができる。また、当て布はカップ部の裏面に取り付けられているので、当て布を引っ張ってもカップ部の表面造形が損なわれることなく、カップ部のシルエットを保つことができる。さらに、バージスラインにカップくりを密着させた状態で当て布の先端を外部から引っ張ることができるので、ブラジャーの中の乳房のみを効率良く移動させることができる。
【０００９】
本発明のうち第２の態様に係るものは、着用時に乳房を覆う左右一対のカップ部と、左右のカップ部の間で、左右のカップ部を連結するカップ中央連結部と、該中央連結部により結合されたカップ部の脇側縁部より後方にそれぞれ延びて、着用時に互いに先端部が背中で係合される左右一対のバック部と、カップ部の上部とバック部の上部を左右それぞれで掛け渡される左右一対の肩ストラップと、該中央連結部により結合された左右のカップ部裏面の脇側縁部および脇側方下辺に取り付けられ、カップ部裏面の脇側縁部および脇側方下辺からバストを覆う左右一対の当て布と、を有し、カップ中央連結部に当て布を通すための当て布通し孔が設けられ、左右の当て布の先端をそれぞれ当て布通し孔に通し、左右の当て布の先端を外部から引っ張り当て布通し孔から外部に出た当て布の長さを調節可能にした特徴とする。
【００１０】
本発明によれば、カップ中央連結部に当て布を通すための当て布通し孔が設け、その当て布通し孔からブラジャーの外部に出された当て布の先端をブラジャーの外部から引っ張ることができるので、ブラジャーを着用した状態でバストアップ（乳房を持ち上げること）およびバストを中央に寄せるための操作を行うことができる。また、左右の当て布の先端をそれぞれ当て布通し孔に通し、その当て布の先端をブラジャーの外部から引っ張ることにより、当て布通し孔を支点としてバストアップおよび乳房を脇から中心方法に寄せることができるとともに、左右の乳房を脇から寄せることおよび左右の乳房を持ち上げることをそれぞれ左右独立に調節することができる。これにより、乳房の大きさに左右差がある女性でも、左右の当て布の先端の引き具合を調節することにより、左右対称のシルエットに近づけることができる。また、ブラジャーの着用時には、通常バック部を後ろ側に引くためにカップ部の造形が崩れてしまうが、本発明によれば、当て布を左右のカップ部が中央連結部により結合している中央方向に引っ張るので、バック部が後ろ側に引く力と反対側の力が相殺され、カップ部の造形を損なうことがなくなりカップ部のシルエットを保つことができる。また、当て布はカップ部の裏面に取り付けられているので、当て布を引っ張ってもカップ部の表面造形が損なわれることなく、カップ部のシルエットを保つことができる。さらに、バージスラインにカップくりを密着させた状態で当て布の先端を外部から引っ張ることができるので、ブラジャーの中の乳房のみを効率良く移動させることができる。
【００１１】
本発明のうち第３の態様に係るものは、第１または第２の態様に係るブラジャーあって、  左右一対の当て布は、左右一対の当て布は、中央で結合した左右のカップ部裏面の脇側縁部上部の肩スリップおよび肩スリップから肩スリップ部と距離を開けたカップ部の脇側方上部に取り付けられ、カップ部裏面の脇側縁部から脇側縁部上部の肩スリップおよび脇側方下辺からバストを覆うことを特徴とする。
【００１２】
本発明によれば、当て布をカップ部裏面の脇側縁部上部の肩スリップおよび肩スリップ部から肩スリップ部と距離を開けたカップ部の脇側方上部まで延ばして取り付けているので、ブラジャーの外部から当て布が引っ張れることによりカップ部裏面の脇側縁部の当て布が大きく伸びることから、バストを脇から中央に大きく寄せることができる。
【００１３】
本発明のうち第４の態様に係るものは、第１〜第３のいずれかの態様に係るブラジャーあって、左右のそれぞれのカップ部の脇側縁部とバック部の間に、カップ部の脇側縁部から左右の体側部まで延びる左右一対のカップ脇部を設けたものである。
【００１４】
本発明のうち第５の態様に係るものは、第１〜第４のいずれかの態様に係るブラジャーあって、中央で結合した左右のカップ部裏面の中央下辺縁部にそれぞれ取り付けられ、カップ部裏面の中央下辺縁部からバストを覆う左右一対の中央当て布を、さらに有し、それぞれの左右のカップ部には、中央で結合している左右のカップ部の脇側縁部付近に中央当て布を通すための中央当て布通し孔が設けられているものである。
【００１５】
本発明によれば、中央で結合した左右のカップ部裏面の中央下辺縁部にそれぞれ中央当て布が取り付けられ、その中央当て布をカップ部の脇側縁部付近に設けられた中央当て布通し孔に通し、その中央当て布をブラジャーの外部から引っ張ることにより、乳房に対し当て布による脇から中央付近に寄せる力と中央当て布による中央部から脇方向に移動させる力により、乳房を大きく持ち上げることができる。
【００１６】
本発明のうち第６の態様に係るものは、第１〜第５のいずれかの態様に係るブラジャーであって、当て布は伸縮可能布からなることを特徴とするものである。
【００１７】
本発明によれば、当て布が伸縮可能布からなるものであるので、肌にフィットした状態で当て布が伸縮し、左右の乳房を脇から寄せる効果がさらに増大し、乳房を持ち上げる効果もさらに増大させることができる。
【００１８】
本発明のうち第７の態様に係るものは、第１〜第６のいずれかの態様に係るブラジャーあって、当て布は、先端に紐または伸縮テープが取り付けられ、紐または伸縮テープが当て布通し孔を通り外部に出されることを特徴とするものである。
【００１９】
本発明によれば、当て布の先端に取り付けられた紐または伸縮テープが当て布通し孔を通り外部に出されることにより、当て布が引っ張りやすくなり、また外部で係止させやすくなる。
【００２０】
本発明のうち第８の態様に係るものは、第１〜第７のいずれかの態様に係るブラジャーあって、当て布通し孔から出される当て布の長さ調節位置で係止し、当て布通し孔から出される当て布の長さを調節する当て布長さ調節部材を設け、当て布長さ調節部材は、当て布通し孔を通ることができない大きさであることを特徴とするものである。
【００２１】
本発明によれば、当て布通し孔から出される当て布の長さ調節位置で係止し、当て布通し孔から出される当て布の長さを調節する当て布長さ調節部材は、当て布通し孔を通ることができない大きさであるので、当て布通し孔から出される当て布の長さを当て布長さ調節部材で調整することにより、当て布押し孔から出る左右の当て布の長さを容易に調節することができる。
【００２２】
本発明のうち第９の態様に係るものは、着用時に乳房を覆う左右一対のカップ部と、  中央で結合したカップ部の脇側縁部より後方にそれぞれ延びて、着用時に互いに先端部が背中で係合される左右一対のバック部と、カップ部の上部とバック部の上部を左右それぞれで掛け渡される左右一対の肩ストラップと、中央で結合した左右のカップ部裏面のカップ部より上部の箇所および脇側方下辺に取り付けられ、カップ部裏面のカップ部より上部の箇所および該上部の箇所と連通する脇側下辺からバストを覆う左右一対の当て布と、を有し、それぞれの左右のカップ部には、左右のカップ部が結合している中央付近に当て布を通すための当て布通し孔が設けられ、左右の当て布の先端をそれぞれ当て布通し孔に通し、左右の当て布の先端を外部から引っ張り当て布通し孔から外部に出た当て布の長さを調節可能にした特徴とするものである。
【００２３】
本発明によれば、左右のカップ部に当て布を通すための当て布通し孔が設け、その当て布通し孔からブラジャーの外部に出された当て布の先端をブラジャーの外部から引っ張ることができるので、ブラジャーを着用した状態でバストアップ（乳房を持ち上げること）およびバストを中央に寄せるための操作を行うことができる。また、左右の当て布の先端をそれぞれ当て布通し孔に通し、ブラジャーの外部から引っ張ることにより、当て布通し孔を支点として、バストアップおよび乳房を脇から中心方法に寄せることができるとともに、左右の乳房を脇から寄せることおよび左右の乳房を持ち上げることをそれぞれ左右独立に調節することができる。これにより、乳房の大きさに左右差がある女性でも、左右の当て布の先端の引き具合を調節することにより、左右対称のシルエットに近づけることができる。また、ブラジャーの着用時には、通常バック部を後ろ側に引くためにカップ部の造形が崩れてしまうが、本発明によれば、当て布を左右のカップ部が結合している中央方向に引っ張るので、バック部が後ろ側に引く力と反対側の力が相殺され、カップ部の造形を損なうことがなくなりカップ部のシルエットを保つことができる。また、当て布はカップ部の裏面に取り付けられているので、当て布を引っ張ってもカップ部の表面造形が損なわれることなく、カップ部のシルエットを保つことができる。さらに、バージスラインにカップくりを密着させた状態で当て布の先端を外部から引っ張ることができるので、ブラジャーの中の乳房のみを効率良く移動させることができる。さらに、当て布をカップ部裏面のカップ部より上部の箇所および脇側方下辺に取り付けられ、そのカップ部より上部の箇所と脇側方下辺の間は当て布とカップ部が取り付けられていない状態なので、ブラジャーの外部から当て布が引っ張れることによりカップ部裏面のカップ部より上部の箇所と脇側方下辺の間の当て布が大きく伸びることから、バストを脇から中央に大きく寄せることができる。
【００２４】
本発明のうち第１０の態様に係るものは、着用時に乳房を覆う左右一対のカップ部と、左右のカップ部の間で、左右のカップ部を連結するカップ中央連結部と、中央連結部により結合されたカップ部の脇側縁部より後方にそれぞれ延びて、着用時に互いに先端部が背中で係合される左右一対のバック部と、カップ部の上部とバック部の上部を左右それぞれで掛け渡される左右一対の肩ストラップと、該中央連結部により結合された左右のカップ部裏面のカップ部より上部の箇所および脇側方下辺に取り付けられ、カップ部裏面のカップ部より上部の箇所および該上部の箇所と連通する脇側下辺からバストを覆う左右一対の当て布と、を有し、カップ中央連結部に当て布を通すための当て布通し孔が設けられ、左右の当て布の先端をそれぞれ当て布通し孔に通し、左右の当て布の先端を外部から引っ張り当て布通し孔から外部に出た当て布の長さを調節可能にした特徴とするものである。
【００２５】
本発明によれば、カップ中央連結部に当て布を通すための当て布通し孔が設け、その当て布通し孔からブラジャーの外部に出された当て布の先端をブラジャーの外部から引っ張ることができるので、ブラジャーを着用した状態でバストアップ（乳房を持ち上げること）およびバストを中央に寄せるための操作を行うことができる。また、左右の当て布の先端をそれぞれ当て布通し孔に通し、その当て布の先端をブラジャーの外部から引っ張ることにより、当て布通し孔を支点としてバストアップおよび乳房を脇から中心方法に寄せることができるとともに、左右の乳房を脇から寄せることおよび左右の乳房を持ち上げることをそれぞれ左右独立に調節することができる。これにより、乳房の大きさに左右差がある女性でも、左右の当て布の先端の引き具合を調節することにより、左右対称のシルエットに近づけることができる。また、ブラジャーの着用時には、通常バック部を後ろ側に引くためにカップ部の造形が崩れてしまうが、本発明によれば、当て布を左右のカップ部が結合している中央方向に引っ張るので、バック部が後ろ側に引く力と反対側の力が相殺され、カップ部の造形を損なうことがなくなりカップ部のシルエットを保つことができる。また、当て布はカップ部の裏面に取り付けられているので、当て布を引っ張ってもカップ部の表面造形が損なわれることなく、カップ部のシルエットを保つことができる。さらに、バージスラインにカップくりを密着させた状態で当て布の先端を外部から引っ張ることができるので、ブラジャーの中の乳房のみを効率良く移動させることができる。さらに、当て布をカップ部裏面のカップ部より上部の箇所および脇側方下辺に取り付けられ、そのカップ部より上部の箇所と脇側方下辺の間は当て布とカップ部が取り付けられていない状態なので、ブラジャーの外部から当て布が引っ張れることによりカップ部裏面のカップ部より上部の箇所と脇側方下辺の間の当て布が大きく伸びることから、バストを脇から中央に大きく寄せることができる。
【発明の効果】
【００２６】
本発明のブラジャーによれば、左右のそれぞれのバストについて、それぞれ独立にバストアップを図ることができ、それぞれ独立にバストを中央に寄せることができる。
【図面の簡単な説明】
【００２７】
【図１】本発明の第１の実施形態におけるブラジャーの斜視図である。
【図２】同ブラジャーの正面図である。
【図３】同ブラジャーの裏面図である。
【図４】同ブラジャーのカップ部付近の裏面図である。
【図５】本発明の第２の実施形態におけるブラジャーの正面図である。
【図６】同ブラジャーのカップ部付近の裏面図である。
【図７】本発明の変形例２におけるブラジャーのカップ部付近の裏面図である。
【図８】本発明の他の変形例２におけるブラジャーのカップ部付近の裏面図である。
【図９】本発明の変形例３におけるブラジャーのカップ部付近の裏面図である。
【図１０】従来のブラジャーにおける要部正面図である。
【発明を実施するための最良の形態】
【００２８】
（第１実施形態）
以下、本発明の第１の実施形態について図面を参照にして説明する。図１は本発明の第１の実施形態におけるブラジャーの斜視図であり、図２は同ブラジャーの正面図であり、図３は同ブラジャーの裏面図であり、図４は同ブラジャーのカップ部付近の裏面図である。ここで、図４のカップ部付近の裏面図は、左のカップ部２Ｌ付近についてのものであるが、右のカップ部２Ｒ付近の裏面についても同様の構造を有するので、右のカップ部２Ｒ付近の裏面図は省略する。
【００２９】
図１から図４に示すように、ブラジャー１は、左右一対のカップ部２Ｌ、２Ｒと、左右一対のカップ脇部３Ｌ、３Ｒと、左右一対のバック部４Ｌ、４Ｒと、左右一対の肩ストラップ５Ｌ、５Ｒと、中央連結部６を備えている。
【００３０】
カップ部２Ｌ、２Ｒは、着用時に左右の乳房を覆うもので、上部周縁にはフリル１３Ｌ、１３Ｒが多数取り付けられている。このカップ部２Ｌ、２Ｒは、左右一対の左のカップ部２Ｌと右のカップ部２Ｒから構成されて、上カップ１４Ｌ、１４Ｒと下脇カップ１５Ｌ、１５Ｒと下前カップ１６Ｌ、１６Ｒがカップ縫製部１７Ｌ、１７Ｒのところで縫製されている。カップ部２Ｌ、２Ｒには、後述する当て布通し孔７Ｌ、７Ｒが設けられ、この当て布通し孔７Ｌ、７Ｒから当て布８Ｌ、８Ｒがブラジャー１の外部に出されている。なお、当て布８Ｌ、８Ｒおよび当て布通し孔７Ｌ、７Ｒの詳細については、後述する。この左右のカップ部２Ｌ、２Ｒは，左右のカップ部２Ｌ、２Ｒの間でカップ中央連結部６により連結されている。カップ中央連結部６は、左のカップ部２Ｌおよび右のカップ部２Ｒと縫製されている。また、カップ部２Ｌ、２Ｒの下縁部には、下縁部の湾曲形状に沿ってカップ部２の下側縫製部１８Ｌ、１８Ｒが設けられている。なお、本実施形態では、カップ中央連結部６を設けて左右のカップ部２Ｌ、２Ｒを結合させたが、これに限らず、カップ中央連結部６を設けず、左右のカップ部２Ｌ、２Ｒを直接結合させるようにしてもよい。
【００３１】
カップ脇部３Ｌ、３Ｒは、カップ中央連結部６により連結されたカップ部２Ｌ、２Ｒの左右脇側縁部に縫製されている。このカップ脇部３Ｌ、３Ｒは、伸縮布（伸縮可能布）を素材して形成され、カップ中央連結部６により連結されたカップ部２Ｌ、２Ｒの左右脇側縁部から左右の体側部までそれぞれ延びるように形成されている。そして、カップ脇部３Ｌ、３Ｒの左右の脇側縁部からそれぞれ後方に延びるようにしてバック部４Ｌ、４Ｒが設けられている。このバック部４Ｌ、４Ｒは、それぞれ先端に向かって幅が漸減するように形成され、着用時に左のバック部４Ｌの先端部に設けられたフック１９Ｌと右のバック部４Ｒの先端部に設けられたフック１９Ｒを互いに背中で係合することにより、胸に左右のカップ部２Ｌ、２Ｒを押し付けた状態でブラジャー１を着用することができる。ここで、右のフック１９Ｒは３箇所取り付けられ、左のフック１９Ｌをいずれかのフック１９Ｒに係合させるかで押し付け強さを調整できるようになっている。なお、本実施形態では、カップ中央連結部６とカップ脇部３Ｌ、３Ｒの構成を別々に説明したが、これらは連続して形成されている場合もあるので、この場合はカップ中央連結部６とカップ脇部３Ｌ、３Ｒの結合体として考え、構成的にカップ中央連結部に相当する部分をカップ中央連結部６とし、カップ脇部に相当する部分をカップ脇部３Ｌ、３Ｒとすればよい。
【００３２】
肩ストラップ５Ｌ、５Ｒは、左右のカップ部２Ｌ、２Ｒの上部とバック部４Ｌ、４Ｒの上部に結合され、左右のカップ部２Ｌ、２Ｒとバック部４Ｌ、４Ｒにそれぞれ掛け渡されている。具体的には、バック部４Ｌ、４Ｒ上部に設けられた係合金具２０Ｌ、２０Ｒに肩ストラップ５Ｌ、５Ｒが係合させている。なお、本実施形態では、カップ部２Ｌ、２Ｒと肩ストラップ５Ｌ、５Ｒの構成を別々に説明したが、これらは連続して形成されている場合もあるので、この場合はカップ部２Ｌ、２Ｒと肩ストラップ５Ｌ、５Ｒの結合体として考え、構成的にカップ部に相当する部分をカップ部２Ｌ、２Ｒとし、肩ストラップに相当する部分を肩ストラップ５Ｌ、５Ｒとすればよい。
【００３３】
図３に示すように、左右のカップ部２Ｌ、２Ｒの裏面には、それぞれ当て布８Ｌ、８Ｒが設けられている。この当て布８Ｌ、８Ｒは、左右のカップ部２Ｌ、２Ｒの裏面の脇側縁部の脇側縫製部２１Ｌ、２１Ｒおよび脇側方下辺の下側縫製部１８Ｌ、１８Ｒにそれぞれ縫製され、そのカップ部２Ｌ、２Ｒの脇側縁部および脇側方下辺から左右結合されたカップ部２Ｌ、２Ｒの前中心部に向かって幅が狭くなるように形成されている（図４参照）。当て布８Ｌ、８Ｒは、伸縮布（伸縮可能布）を素材して形成され、当て布８Ｌ、８Ｒの先端には紐９Ｌ、９Ｒが取り付けられている。そして、当て布８Ｌ、８Ｒの先端部はカップ部２Ｌ、２Ｒに設けられた当て布通し孔７Ｌ、７Ｒに通され、ブラジャー１の外部に出されるようになっている。この当て布通し孔７Ｌ、７Ｒは、当て布８Ｌ、８Ｒが取り付けられているカップ部２Ｌ、２Ｒの脇側方下辺最下端と略同一の高さの左右のカップ部の略中央付近に設けられている。なお、この当て布通し孔７Ｌ、７Ｒは、当て布８Ｌ、８Ｒが取り付けられているカップ部２Ｌ、２Ｒの脇側方下辺最下端より上部の高さの左右のカップ部が結合された略中央付近に設けてもよい。また、本実施形態では、当て布８Ｌ、８Ｒの先端に紐９Ｌ、９Ｒを取り付けるようにしたが、紐９Ｌ、９Ｒの代わりに伸縮テープを取り付けるようにしてもよく、また紐９Ｌ、９Ｒや伸縮テープを取り付けずに当て布８Ｌ、８Ｒの布生地を延長させて形成してもよい。また、本実施形態では、当て布通し孔７Ｌ、７Ｒをカップ部２Ｌ、２Ｒに設けたが、カップ部２Ｌ、２Ｒに設ける代わりにカップ中央連結部６に設けてもよい。
【００３４】
図１に示すように、当て布通し孔７Ｌ、７Ｒからブラジャー１の外部に出された当て布８Ｌ、８Ｒの先端の紐９Ｌ、９Ｒは、ブラジャー１の外部で当て布係止部材１０Ｌ、１０Ｒにより係止される。この当て布係止部材１０Ｌ、１０Ｒには紐９Ｌ、９Ｒが通される紐通し孔１１Ｌ、１１Ｒ（図示略）が形成され、そして紐通し孔１１Ｌ、１１Ｒと同形状の孔が形成されている孔閉止部１２Ｌ、１２Ｒ（図示略）を備えている。この孔閉止部１２Ｌ、１２Ｒは、バネにより押圧されている。そして、孔閉止部１２Ｌ、１２Ｒを外部から押すことにより紐通し孔１１Ｌ、１１Ｒと孔閉止部１２Ｌ、１２Ｒに設けられている孔が同じ位置になり紐９Ｌ、９Ｒを当て布係止部材１０Ｌ、１０Ｒにスムーズに通すことができ、取り外すことができる。また、孔閉止部１２Ｌ、１２Ｒを押さない場合には、孔閉止部１２Ｌ、１２Ｒはバネにより移動し、当て布係止部材１０Ｌ、１０Ｒは、当て布８Ｌ、８Ｒの紐９Ｌ、９Ｒに係止される。これにより、当て布係止部材１０Ｌ、１０Ｒは、当て布８Ｌ、８Ｒ（紐９Ｌ、９Ｒ）の長さ調整位置に固定される。
【００３５】
次に、本発明のブラジャー１の使用例について説明する。まず、使用者は、ブラジャー１の左右の当て布８Ｌ、８Ｒの紐９Ｌ、９Ｒを当て布通し孔７Ｌ、７Ｒからブラジャー１の外部に出した状態で、ブラジャー１を着用する。そして、ブラジャー１が着用されれば、バストアップおよびバストを中央に寄せるために当て布８Ｌ、８Ｒの紐９Ｌ、９Ｒを外部からそれぞれ引っ張る。
【００３６】
このように、本実施形態のブラジャー１は、当て布８Ｌ、８Ｒが取り付けられているカップ部２Ｌ、２Ｒの脇側方下辺下端部と同一高さ以上の位置に設けられている当て布通し孔７Ｌ、７Ｒに通して当て布８Ｌ、８Ｒの紐９Ｌ、９Ｒの先端を引っ張っているので、当て布通し孔７Ｌ、７Ｒを支点として、乳房を脇から中心方法に寄せることができるとともに、乳房を持ち上げることができる。また、当て布８Ｌ、８Ｒはカップ部２Ｌ、２Ｒの裏面に取り付けられているので、当て布８Ｌ、８Ｒを引っ張ってもカップ部２Ｌ、２Ｒの表面造形が損なわれることなく、シルエットを保つことができる。さらに、バージスラインにカップくりを密着させた状態で当て布８Ｌ、８Ｒの先端を外部から引っ張ることができるので、ブラジャー１の中の乳房のみを効率良く移動させることができる。なお、本実施形態では、当て布８Ｌ、８Ｒが取り付けられているカップ部２Ｌ、２Ｒの脇側方下辺下端部と同一高さ以上のところに設けられた当て布通し孔７Ｌ、７Ｒに通して当て布８Ｌ、８Ｒの紐９Ｌ、９Ｒの先端を引っ張るようにしているが、当て布８Ｌ、８Ｒが取り付けられているカップ部２Ｌ、２Ｒの脇側方下辺下端部と同一高さ以上のところに当て布通し孔７Ｌ、７Ｒを設けなくても、当て布８Ｌ、８Ｒの紐９Ｌ、９Ｒの先端を引っ張ることにより、乳房を脇から中心方法に寄せ、乳房を持ち上げることができる。
【００３７】
次に、当て布８Ｌ、８Ｒの紐９Ｌ、９Ｒの引っ張り具合を調整して、左右のバストのバストアップおよびバストを中央に寄せる効果を調節し、左右の当て布８Ｌ、８Ｒの紐９Ｌ、９Ｒをブラジャー１の外部で当て布係止部材１０Ｌ、１０Ｒにより係止される。
【００３８】
このように、本実施形態のブラジャー１は、左右の紐９Ｌ、９Ｒをそれぞれ別々に引くものであるので、左右の乳房をそれぞれ独立に脇から寄せる効果を調節でき、乳房を持ち上げる効果を調整することができる。これにより、乳房の大きさに左右差がある女性でも、左右の当て布８Ｌ、８Ｒの先端の紐９Ｌ、９Ｒの引き具合を調節することにより、左右対称のシルエットに近づけることができる。また、当て布８Ｌ、８Ｒは伸縮布を素材としているで、肌にフィットした状態で当て布８Ｌ、８Rが伸縮し、左右の乳房を脇から寄せる効果および乳房を持ち上げる効果がさらに増すことができる。
【００３９】
また、当て布係止部材１０Ｌ、１０Ｒは、当て布通し孔７Ｌ、７Ｒを通ることができない大きさで形成されているので、左右の当て布８Ｌ、８Ｒを当て布係止部材１０Ｌ、１０Ｒで係止させることにより、当て布押し孔７Ｌ、７Ｒから出る当て布の長さを容易に調節することができる。
【００４０】
（第２実施形態）
次に、本発明の第２の実施形態について図面を参照にして説明する。図５は、本発明の第２の実施形態におけるブラジャーの正面図であり、図６は、同ブラジャーのカップ部付近の裏面図である。ここで、図６のカップ部分付近の裏面図は、左のカップ部２Ｌ付近のものであるが、右のカップ部２Ｒ付近の裏面も同様の構造であるので、右のカップ部２Ｒ付近の裏面図は省略する。
【００４１】
第２の実施形態では、第１の実施形態の当て布８Ｌ、８Ｒの他に、中央当て布２２Ｌ、２２Ｒを設けた点で第１の実施形態とは異なる。以下、第１の実施形態と異なる点について説明し、第１の実施形態と同一の構成については説明を省略する。
【００４２】
図６に示すように、中央で結合した左右のカップ部２Ｌ、２Ｒ裏面には、それぞれ中央当て布２２Ｌ、２２Ｒが設けられている。この中央当て布２２Ｌ、２２Ｒは、左右のカップ部２Ｌ、２Ｒ裏面の中央下辺縁部の下側縫製部１８Ｌ、１８Ｒにそれぞれ縫製され、そのカップ部２Ｌ、２Ｒの中央下辺縁部から左右結合されたカップ部２Ｌ、２Ｒの脇側縁部に向かって幅が狭くなるように形成されている。中央当て布２２Ｌ、２２Ｒは、伸縮布（伸縮可能布）を素材して形成され、中央当て布２２Ｌ、２２Ｒの先端には紐２３Ｌ、２３Ｒが取り付けられている。そして、中央当て布２２Ｌ、２２Ｒの先端部はカップ部２Ｌ、２Ｒの脇側縁部付近に設けられた中央当て布通し孔２４Ｌ、２４Ｒに通され、ブラジャー１の外部に出されるようになっている。なお、本実施形態では、中央当て布２２Ｌ、２２Ｒの先端に紐２３Ｌ、２３Ｒを取り付けるようにしたが、紐２３Ｌ、２３Ｒの代わりに伸縮テープを取り付けるようにしてもよく、また紐２３Ｌ、２３Ｒや伸縮テープを取り付けずに中央当て布２２Ｌ、２２Ｒの布生地を延長させて形成してもよい。また、本実施形態では、当て布８L、８Ｒを中央当て布２２Ｌ、２２Ｒの上部に配置させているが、これに限らず、当て布８L、８Ｒを中央当て布２２Ｌ、２２Ｒの下部に配置させてもよい。
【００４３】
図５に示すように、中央当て布通し孔２４Ｌ、２４Ｒからブラジャー１の外部に出された中央当て布２２Ｌ、２２Ｒの先端の紐２３Ｌ、２３Ｒは、ブラジャー１の外部で中央当て布係止部材２５Ｌ、２５Ｒにより係止される。この中央当て布係止部材２５Ｌ、２５Ｒには紐２３Ｌ、２３Ｒが通される紐通し孔２６Ｌ、２６Ｒ（図示略）が形成され、そして紐通し孔２６Ｌ、２６Ｒと同形状の孔が形成されている孔閉止部２７Ｌ、２７Ｒ（図示略）が備えられている。この中央当て布係止部材２５Ｌ、２５Ｒの構造は、第１実施形態の当て布係合部材１０Ｌ、１０Ｒと同様であるので、説明は省略する。
【００４４】
このように、中央で結合した左右のカップ部２Ｌ、２Ｒ裏面の中央下辺縁部にそれぞれ中央当て布２２Ｌ、２２Ｒが取り付けられ、その中央当て布２２Ｌ、２２Ｒをカップ部２Ｌ、２Ｒの脇側縁部付近に設けられた中央当て布通し孔２４Ｌ、２４Ｒに通し、その中央当て布２２Ｌ、２２Ｒをブラジャー１の外部から引っ張ることにより、乳房に対し当て布８Ｌ、８Ｒによる脇から中央付近に寄せる力と中央当て布２２Ｌ、２２Ｒによる中央部から脇方向に移動させる力により、乳房を大きく持ち上げることができる。  
【００４５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される
【００４６】
次に本実施形態の変形例について説明する。
（１）  本実施形態では、当て布通し孔７Ｌ、７Ｒに通された当て布８Ｌ、８Ｒの先端の紐９Ｌ、９Ｒを当て布係止部材１０Ｌ、１０Ｒを用いて係止させたが、当て布係止部材１０Ｌ、１０Ｒを用いずに、左右の紐９Ｌ、９Ｒをリボンくくりなどして係止させてもよい。
【００４７】
（２）  第１実施形態および第２の実施形態では、当て布８Ｌ、８Ｒを、中央で結合した左右のカップ部２Ｌ、２Ｒの裏面の脇側縁部の脇側縫製部２１Ｌ、２１Ｒおよび脇側方下辺の下側縫製部１８Ｌ、１８Ｒに取り付けられたが、さらに、図７および図８に示すように、中央で結合した左右のカップ部２Ｌ、２Ｒ裏面の脇側縁部上部の肩スリップ５Ｌ、５Ｒおよび該肩スリップ部５Ｌ、５Ｒから肩スリップ部５Ｌ、５Ｒと距離を開けたカップ部２Ｌ、２Ｒの脇側方上部に取り付けるようにしてもよい。図７および図８では、当て布８Ｌ、８Ｒの上部の横幅を広くするために、肩スリップ５Ｌ、５Ｒおよび該肩スリップ部５Ｌ、５Ｒから肩スリップ部５Ｌ、５Ｒと距離を開けたカップ部２Ｌ、２Ｒの脇側方上部と取り付けられ、当て布８Ｌ、８Ｒは、カップ部２Ｌ、２Ｒの脇側縁部および脇側縁部上部の脇側縫製部２１Ｌ、２１Ｒおよび脇側方下辺の下側縫製部１８Ｌ、１８Ｒ、当て布８Ｌ、８Ｒの上部の点線部分で縫製されている。なお、変形例２では、カップ部２Ｌ、２Ｒの脇側縁部上部の脇側縫製部２１Ｌ、２１Ｒの中に肩スリップ５Ｌ、５Ｒが隠れており、当て布８Ｌ、８Ｒは脇側縫製部２１Ｌ、２１Ｒを介して肩スリップ５Ｌ、５Ｒに取り付けられているが、これに限らず、当て布８Ｌ、８Ｒを直接肩スリップ５Ｌ、５Ｒに取り付けるようにしてもよい。また、変形例２は、当て布８Ｌ、８Ｒを肩スリップ５Ｌ、５Ｒに取り付けられたものに限らず、左右一対の当て布８Ｌ、８Ｒが、中央で結合した左右のカップ部２Ｌ、２Ｒ裏面の脇側縁部上部および該脇側縁部から脇側縁部と距離を開けたカップ部２Ｌ、２Ｒの脇側方上部に取り付けられたものであれば、同様の効果を有し、それらの構造を有するものであればよい。ここで、図７は、本発明の変形例２におけるブラジャーのカップ部付近の裏面図であり、図８は、本発明の他の変形例２におけるブラジャーのカップ部付近の裏面図である。具体的には、図７は、当て布８Ｌ、８Ｒの上部の横幅を肩スリップ部５Ｌ、５Ｒから短く距離を開けて形成した図であり、図８は、当て布８Ｌ、８Ｒの上部の横幅を肩スリップ部５Ｌ、５Ｒから長く距離を開けて形成した図である。ここで、図７および図８のカップ部分付近の裏面図は、左のカップ部２Ｌ付近のものであるが、右のカップ部２Ｒ付近の裏面も同様の構造であるので、右のカップ部２Ｒ付近の裏面図は省略する。このようにすることにより、当て布８Ｌ、８Ｒをカップ部２Ｌ、２Ｒ裏面の脇側縁部上部の肩スリップ５Ｌ、５Ｒおよび肩スリップ部５Ｌ、５Ｒから肩スリップ部５Ｌ、５Ｒと距離を開けたカップ部２Ｌ、２Ｒの脇側方上部まで延ばして取り付けているので、ブラジャー１の外部から当て布８Ｌ、８Ｒが引っ張れることによりカップ部２Ｌ、２Ｒ裏面の脇側縁部の当て布８Ｌ、８Ｒが大きく伸びることから、バストを脇から中央に大きく寄せることができる。なお、上述した以外の構成については、図１〜図６と同様であるので、説明は省略する。
【００４８】
（３）  変形例２では、当て布８Ｌ、８Ｒを、中央で結合した左右のカップ部２Ｌ、２Ｒの裏面の脇側縁部の脇側縫製部２１Ｌ、２１Ｒおよび脇側方下辺の下側縫製部１８Ｌ、１８Ｒに取り付け、さらに、中央で結合した左右のカップ部２Ｌ、２Ｒ裏面の脇側縁部上部の肩スリップ５Ｌ、５Ｒおよび該肩スリップ部５Ｌ、５Ｒから肩スリップ部５Ｌ、５Ｒと距離を開けたカップ部２Ｌ、２Ｒの脇側方上部に取り付けるようにしたが、これに限らず、当て布８Ｌ、８Ｒを、左右のカップ部２Ｌ、２Ｒ裏面の脇側縁部の脇側縫製部２１Ｌ、２１Ｒおよび肩スリップ５Ｌ、５Ｒには取り付けず、カップ部２Ｌ、２Ｒより上部の箇所および脇側方下辺の下側縫製部１８Ｌ、１８Ｒに取り付けられるようにしてもよい。図９では、当て布８Ｌ、８Ｒの上部の横幅を広くするために、肩スリップ部５Ｌ、５Ｒから肩スリップ部５Ｌ、５Ｒと距離を開けたカップ部２Ｌ、２Ｒの脇側方上部と取り付けられ、当て布８Ｌ、８Ｒは当て布８Ｌ、８Ｒの上部の点線部分およびカップ部の脇側方下辺の下側縫製部１８Ｌ、１８Ｒで縫製されている。ここで、図９は、本発明の変形例３におけるブラジャーのカップ部付近の裏面図である。ここで、図９のカップ部分付近の裏面図は、左のカップ部２Ｌ付近のものであるが、右のカップ部２Ｒ付近の裏面も同様の構造であるので、右のカップ部２Ｒ付近の裏面図は省略する。このようにすることにより、当て布８Ｌ、８Ｒがカップ部２Ｌ、２Ｒ裏面のカップ部２Ｌ、２Ｒより上部の箇所および脇側方下辺に取り付けられ、そのカップ部２Ｌ、２Ｒより上部の箇所と脇側方下辺の間は当て布８Ｌ、８Ｒとカップ部２Ｌ、２Ｒが取り付けられていない状態なので、ブラジャー１の外部から当て布８Ｌ、８Ｒが引っ張れることによりカップ部２Ｌ、２Ｒ裏面のカップ部２Ｌ、２Ｒの上部の箇所と脇側方下辺の間の当て布８Ｌ、８Ｒが大きく伸びることから、バストを脇から中央に大きく寄せることができる。なお、変形例３では、当て布８Ｌ、８Ｒを、カップ部２Ｌ、２Ｒより上部の箇所および脇側方下辺の下側縫製部１８Ｌ、１８Ｒに取り付けられるようにしたが、これに限らず、カップ部２Ｌ、２Ｒの上部付近の箇所および脇側方下辺の下側縫製部１８Ｌ、１８Ｒに取り付けられるようにしてもよく、また当て布８Ｌ、８Ｒを一部肩スリット部５Ｌ、５Ｒに取り付けるようにしてもよい。また、上述した以外の構成については、図１〜図８と同様であるので、説明は省略する。
【符号の説明】
【００４９】
１ ブラジャー
２Ｌ  左のカップ部
２Ｒ  右のカップ部
３Ｌ  左のカップ脇部
３Ｒ  右のカップ脇部
４Ｌ  左のバック部
４Ｒ  右のバック部
５Ｌ  左の肩ストラップ
５Ｒ  右の肩ストラップ
６    中央連結部
７Ｌ  左の当て布通し孔
７Ｒ  右の当て布通し孔
８Ｌ  左の当て布
８Ｒ  右の当て布
９Ｌ  左の紐
９Ｒ  右の紐
１０Ｌ  左の当て布係合部材
１０Ｒ  右の当て布係合部材
１１Ｌ  左の紐通し孔
１１Ｒ  右の紐通し孔
１２Ｌ  右の孔閉止部
１２Ｒ  左の孔閉止部
１３Ｌ  左のフリル
１３Ｒ  右のフリル
１４Ｌ  左の上カップ
１４Ｒ  右の上カップ
１５Ｌ  左の下脇カップ
１５Ｒ  右の下脇カップ
１６Ｌ  左の下前カップ
１６Ｒ  右の下前カップ
１７Ｌ  左のカップ縫製部
１７Ｒ  右のカップ縫製部
１８Ｌ  左の下側縫製部
１８Ｒ  右の下側縫製部
１９Ｌ  左のフック
１９Ｒ  右のフック
２０Ｌ  左の係合金具
２０Ｒ  右の係合金具
２１Ｌ  左の脇側縫製部
２１Ｒ  右の脇側縫製部
２２Ｌ  左の中央当て布
２２Ｒ  右の中央当て布
２３Ｌ  左の紐
２３Ｒ  右の紐
２４Ｌ  左の中央当て布通し孔
２４Ｒ  右の中央当て布通し孔
２５Ｌ  左の中央当て布係止部材
２５Ｒ  右の中央当て布係止部材
２６Ｌ  右の紐通し孔
２６Ｒ  左の紐通し孔
２７Ｌ  右の孔閉止部
２７Ｒ  左の孔閉止部
【図１】
2012251251.tif 000003
【図２】
2012251251.tif 000004
【図３】
2012251251.tif 000005
【図４】
2012251251.tif 000006
【図５】
2012251251.tif 000007
【図６】
2012251251.tif 000008
【図７】
2012251251.tif 000009
【図８】
2012251251.tif 000010
【図９】
2012251251.tif 000011
【図１０】
2012251251.tif 000012